(57)【要約】      （修正有）【課題】ピンフックに吊り下げる対象物の重量に応じて、針の数を調節することができるとともに、壁に固定した後であっても、フックの形状を変更することができるピンフックを提供する。【解決手段】ピンフック（１００）はフック本体（２００）と、針支持部材と、針押さえ部材（４００）と、からなる。針支持部材はフック本体の凹部の内部に挿入可能であり、かつ、フック本体の凹部に挿入された状態においてフック本体を支持する。針支持部材には複数の針支持構造体（３０１）が形成されており、針支持構造体は針（５００）を斜め下方に支持するとともに、針の上方に空洞部を形成するものであり、針押さえ部材は空洞部に嵌め込まれ、針を上方から押さえ込む。【選択図】図３
0003120315.tif 000002
【実用新案登録請求の範囲】
【請求項１】
フック本体と、針支持部材と、針押さえ部材と、からなるピンフックであって、
前記フック本体の前面にはフックが形成され、背面には凹部が形成され、
前記針支持部材は前記フック本体の凹部の内部に挿入可能であり、かつ、前記フック本体の前記凹部に挿入された状態において前記フック本体を支持し、
前記針支持部材には少なくとも一つの針支持構造体が形成されており、
前記針支持構造体は針を斜め下方に支持するとともに、前記針の上方に空洞部を形成するものであり、
前記針押さえ部材は前記空洞部に嵌め込まれ、前記針を上方から押さえるものであるピンフック。
【請求項２】
前記針支持構造体は、
斜め下方に傾斜する斜面を有する斜面形成部と、
前記斜面形成部の上端に隣接して配置されている針支持面を有し、前記斜面形成部の上方において前記斜面形成部とともに前記空洞部を形成する支持部と、からなり、
前記斜面形成部と前記支持部との間には、前記針の軸部のみを通し、前記針の頭部は通さない直径を有する開口が形成されていることを特徴とする請求項１に記載のピンフック。
【請求項３】
前記斜面形成部には、前記針の前記軸部をガイドする第一の溝が形成され、前記針押さえ部材の底面には前記第一の溝とともに前記針の前記軸部を押さえる第二の溝が形成されていることを特徴とする請求項２に記載のピンフック。
【考案の詳細な説明】
【技術分野】
【０００１】
本考案はピンフックに関する。
【背景技術】
【０００２】
従来のピンフックの一例として実開平７−４４４８３号公報に記載されたものがある。
【０００３】
このピンフックは、フック本体と、フック本体に固定された複数個の針と、から構成されている。
【考案の開示】
【考案が解決しようとする課題】
【０００４】
上記の従来のピンフックにおいては、針がフック本体に固定されているため、針が曲がったり、折れたりした場合には、ピンフックそのものが使用不可能になるものであった。
【０００５】
また、フック本体に固定されている針の数は一定であるため、その数の針では多すぎる場合であっても、あるいは、その数の針では少なすぎる場合であっても、針の数を適切な数に調整することは不可能であった。
【０００６】
また、ピンフックの形状は一定であり、ピンフックを壁に固定した後においては、ピンフックの形状を変更することは不可能であった。
【０００７】
本考案はこのような従来のピンフックにおける問題点に鑑みてなされたものであり、針が曲がったり、折れたりした場合であっても、針の交換が可能であり、さらには、ピンフックに吊り下げる対象物の重量に応じて、針の数を調節することができるとともに、壁に固定した後であっても、フックの形状を変更することができるピンフックを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている発明の技術的範囲の解釈に用いるべきものではない。
【０００９】
上記の目的を達成するため、本考案は、フック本体（２００）と、針支持部材（３００）と、針押さえ部材（４００）と、からなるピンフック（１００）であって、前記フック本体（２００）の前面にはフック（２０１）が形成され、背面には凹部（２０３）が形成され、前記針支持部材（３００）は前記フック本体（２００）の凹部（２０３）の内部に挿入可能であり、かつ、前記フック本体（２００）の前記凹部（２０３）に挿入された状態において前記フック本体（２００）を支持し、前記針支持部材（３００）には少なくとも一つの針支持構造体（３０１）が形成されており、前記針支持構造体（３０１）は針（５００）を斜め下方に支持するとともに、前記針（５００）の上方に空洞部（３０５）を形成するものであり、前記針押さえ部材（４００）は前記空洞部（３０５）に嵌め込まれ、前記針（５００）を上方から押さえるものであるピンフック（１００）を提供する。
【００１０】
例えば、前記針支持構造体（３０１）は、斜め下方に傾斜する斜面（３０２）を有する斜面形成部（３０３）と、前記斜面形成部（３０３）の上端（３０３ａ）に隣接して配置されている針支持面（３０４）を有し、前記斜面形成部（３０３）の上方において前記斜面形成部（３０３）とともに前記空洞部（３０５）を形成する支持部（３０６）と、から構成することができる。この場合、前記斜面形成部（３０３）と前記支持部（３０６）との間には、前記針（５００）の軸部（５０１）のみを通し、前記針（５００）の頭部（５０２）は通さない直径を有する開口（３０７）が形成される。
【００１１】
前記斜面形成部（３０３）には、前記針（５００）の前記軸部（５０１）をガイドする第一の溝（３０８）が形成され、前記針押さえ部材（４００）の底面には前記第一の溝（３０８）とともに前記針（５００）の軸部（５０１）を押さえる第二の溝（４０２）が形成されていることが好ましい。
【考案の効果】
【００１２】
本考案に係るピンフックによれば、針を打ち込む途中で針が曲がったり、折れたりした場合であっても、針の交換が可能である。
【００１３】
さらに、ピンフックに吊り下げる対象物の重量に応じて、針の数を増加することができる。
【００１４】
さらに、本考案に係るピンフックを壁に固定した後であっても、フック本体を針支持部材から引き抜くことにより、フック本体を別の形状のフック本体に交換することも可能である。例えば、１個のフックを有するフック本体から２個以上のフックを有するフック本体に交換することもできる。
【考案を実施するための最良の形態】
【００１５】
以下、図面を参照して、本考案の一実施形態に係るピンフックを説明する。
【００１６】
本実施形態に係るピンフック１００は、フック本体２００と、針支持部材３００と、針押さえ部材４００と、から構成される。
【００１７】
フック本体２００、針支持部材３００及び針押さえ部材４００はいずれも樹脂（例えば、ＡＢＳ）でつくられている。
【００１８】
図１（Ａ）はフック本体２００の側面図、図１（Ｂ）はフック本体２００の背面図である。
【００１９】
図１（Ａ）に示すように、フック本体２００の前面には、対象物を吊り下げるためのフック２０１が形成されている。
【００２０】
また、図１（Ｂ）に示すように、フック本体２００の背面には周壁２０２に囲まれて凹部２０３が形成されている。凹部２０３はフック本体２００の長手軸方向に延び、矩形状の断面を有している。さらに、凹部２０３の下端は開口しており、後述するように、凹部２０３の下端の開口を介して針支持部材３００が凹部２０３の内部にスライドされる。
【００２１】
周壁２０２の対向する内壁の各々には、フック本体２００の長手軸方向に延びる凸状のガイド２０４が形成されている。
【００２２】
図２（Ａ）は針支持部材３００の正面図、図２（Ｂ）は針支持部材３００の側面図、図２（Ｃ）は針支持部材３００の背面図である。
【００２３】
針支持部材３００はフック本体２００の凹部２０３の下端の開口を介して凹部２０３に挿入し得る外形形状を有している。後述するように、針支持部材３００は、針を、例えば、壁に打ち込むことにより、壁に固定される。このように針支持部材３００を壁に固定した後、フック本体２００を針支持部材３００の上方からスライドさせ、凹部２０３の内部に針支持部材３００を収納する。これにより、フック本体２００が壁に対して固定されることになる。
【００２４】
図３は図２（Ａ）及び図２（Ｃ）のＡ−Ａ線における断面図である。
【００２５】
図３に示すように、針支持部材３００は４個の針支持構造体３０１を備えている。これら４個の針支持構造体３０１は針支持部材３００の長手方向に並んで配置されている。
【００２６】
図４は、４個の針支持構造体３０１のうちの１個を拡大して示す拡大断面図である。
【００２７】
以下、図４を参照して、針支持構造体３０１の構造を説明する。
【００２８】
針支持構造体３０１は、斜め下方に傾斜する斜面３０２を有する斜面形成部３０３と、斜面形成部３０３の上端３０３ａに隣接して配置されている針支持面３０４を有し、さらに、斜面形成部３０３の上方において斜面形成部３０３とともに空洞部３０５を形成する支持部３０６と、から構成されている。
【００２９】
斜面形成部３０３と支持部３０６の針支持面３０４との間には、針５００の軸部５０１のみを通し、針５００の頭部５０２は通さない直径を有する開口３０７（図４とともに図２（Ａ）及び図２（Ｃ）参照）が形成されている。
【００３０】
さらに、図２（Ｃ）に示すように、斜面形成部３０３の斜面３０２には、針５００の軸部５０１をガイドする半円断面の溝３０８が形成されている。
【００３１】
また、針支持部材３００には、図２（Ｃ）に示すように、両側面において、溝３０９が形成されている。針支持部材３００をフック本体２００の凹部２０３に挿入する際には、凸状のガイド２０４が溝３０８に係合することにより、針支持部材３００はフック本体２００の凹部２０３の内部の所定の位置に挿入される。
【００３２】
針支持部材３００の下端には突状部３１０が形成されており、この突状部３１０がフック本体２００の周壁２０２の下端２０２ａに当たることにより、針支持部材３００がフック本体２００に対して位置決めされる。
【００３３】
以上のような構造を有する針支持構造体３０１は、図３に示すように、針５００を斜め下方に向けて支持することができるように構成されている。
【００３４】
図５（Ａ）は針押さえ部材４００の正面図、図５（Ｂ）は針押さえ部材４００の側面図、図５（Ｃ）は針押さえ部材４００の底面図である。
【００３５】
針押さえ部材４００は、針支持構造体３０１の斜面形成部３０３と支持部３０６とにより形成された空洞部３０５に嵌合する外形形状を有している。すなわち、針押さえ部材４００は空洞部３０５に嵌め込まれることにより、針支持構造体３０１の斜面形成部３０３と支持部３０６とにより支持されている針５００を上方から押さえるように構成されている。
【００３６】
図５（Ａ）−（Ｃ）に示すように、針押さえ部材４００の各側面には半円断面を有する突起４０１が形成されている。針押さえ部材４００が空洞部３０５に嵌め込まれると、突起４０１は圧縮されて弾性変形する。この結果、突起４０１は圧縮に反発して元の形状に伸長しようとし、針押さえ部材４００を空洞部３０５の内部にとどめる力を発揮する。
【００３７】
また、図５（Ａ）及び図５（Ｃ）に示すように、針押さえ部材４００の底面には二つの半円状断面を有する溝４０２が形成されている。溝４０２は斜面形成部３０３の斜面３０２に形成されている溝３０８と協働して針５００を押さえ込む機能を有する。
【００３８】
以上のような構造を有する本実施形態に係るピンフック１００は以下のようにして使用される。
【００３９】
まず、針押さえ部材４００を各針支持構造体３０１の空洞部３０５に嵌め込む。
【００４０】
次いで、針支持部材３００の背面（図２（Ｃ））を壁６００に押し付ける。
【００４１】
次いで、図３に示すように、針支持部材３００の各開口３０７に針５００を通し、壁６００の中に針５００を打ち込む。
【００４２】
針５００は斜面形成部３０３の斜面３０２上に支持されるため、図３に示すように、斜め下方に傾斜した状態で壁６００に打ち込まれる。
【００４３】
開口３０７は針５００の軸部５０１のみを通し、針５００の頭部５０２は通さない直径を有しているため、針５００の頭部５０２は針支持部材３００の支持部３０６において止まり、針支持部材３００は針５００によって壁６００に固定される。
【００４４】
なお、斜面形成部３０３の斜面３０２には針５００の軸部５０１をガイドする溝３０８が形成されているため、針５００を壁６００に打ち込む際に、針５００は溝３０８にガイドされて壁６００に対して真っ直ぐに打ち込むことができる。
【００４５】
この後、フック本体２００を針支持部材３００の上方からスライドさせ、フック本体２００の凹部２０３の中に針支持部材３００を収納する。
【００４６】
これにより、図３に示すように、本実施形態に係るピンフック１００は使用可能な状態となる。
【００４７】
なお、本実施形態に係るピンフック１００における針支持部材３００は４個の針支持構造体３０１を有しているが、４個の針支持構造体３０１の全てに針５００を通すことは必ずしも必要ではない。４個の針支持構造体３０１のうちの何れか１個乃至３個にのみ針５００を通すことも可能である。このように、４個の針支持構造体３０１のうちの何れか１個乃至３個にのみ針５００を通した場合には、フック本体２００を針支持部材３００から引き抜き、針支持部材３００を露出させた後、さらに、針支持構造体３０１に針５００を追加的に打ち込むことができる。
【００４８】
以上のように、本実施形態に係るピンフック１００によれば、針５００を打ち込む途中で針５００が曲がったり、折れたりした場合であっても、針の交換が可能であり、さらには、ピンフック１００に吊り下げる対象物の重量に応じて、針の数を増加することができる。
【００４９】
さらに、フック本体２００を別の形状のフック本体に交換することも可能である。例えば、２個以上のフック２０１を有するフック本体に交換することもできる。
【図面の簡単な説明】
【００５０】
【図１】図１（Ａ）は本考案に係るピンフックにおけるフック本体の側面図、図１（Ｂ）はフック本体の背面図である。
【図２】図２（Ａ）は本考案に係るピンフックにおける針支持部材の正面図、図２（Ｂ）は針支持部材の側面図、図２（Ｃ）は針支持部材の背面図である。
【図３】図２（Ａ）及び図２（Ｃ）のＡ−Ａ線における断面図である。
【図４】針支持構造体を拡大して示す拡大断面図である。
【図５】図５（Ａ）は本考案に係るピンフックにおける針押さえ部材の正面図、図５（Ｂ）は針押さえ部材の側面図、図５（Ｃ）は針押さえ部材の底面図である。
【符号の説明】
【００５１】
１００  本考案の一実施形態に係るピンフック
２００  フック本体
２０１  フック
２０２  周壁
２０３  凹部
２０４  ガイド
３００  針支持部材
３０１  針支持構造体
３０２  斜面
３０３  斜面形成部
３０４  針支持面
３０５  空洞部
３０６  支持部
３０７  開口
３０８  溝
３０９  溝
３１０  突状部
４００  針押さえ部材
４０１  突起
４０２  溝
５００  針
５０１  針の軸部
５０２  針の頭部
６００  壁
【図１】
0003120315.tif 000003
【図２】
0003120315.tif 000004
【図３】
0003120315.tif 000005
【図４】
0003120315.tif 000006
【図５】
0003120315.tif 000007